(57)【特許請求の範囲】
【請求項１】
建築物の構造躯体に略鉛直方向に固定した金属胴縁に外壁板を留め付けるための留め付けユニットのうち，上記外壁板が上記金属胴縁の前方において左右に隣接する部分に配置する隣接部留め付けユニットであって，
該隣接部留め付けユニットは，上記左右の外壁板の上辺部又は下辺部にそれぞれ係合する左右の留め付け金具と，該左右の留め付け金具を連結すると共に上記金属胴縁に固定する固定下板と，該固定下板と上記留め付け金具との間に配設され，上記留め付け金具の前後方向の位置を調整するための不陸調整板とを有し，
上記固定下板は，上記金属胴縁に当接する中央当接板部と，該中央当接板部の左右において上記留め付け金具を固定する金具搭載部とを有し，
該金具搭載部の前面は，上記中央当接板部の後面と略同一平面上に形成されていることを特徴とする隣接部留め付けユニット。
【請求項２】
請求項１において，上記固定下板の上記中央当接板部は，上記金属胴縁の前面幅よりも幅広に形成してあることを特徴とする隣接部留め付けユニット。
【請求項３】
請求項２において，上記中央当接板部は，背面に突出した背面リブを円環状又は円弧状に形成してなり，該背面リブの外周面は，上記金属胴縁の前面に上下方向に連続形成された前面開口部の開口端に当接するよう構成されていることを特徴とする隣接部留め付けユニット。
【請求項４】
建築物の構造躯体に略鉛直方向に固定した金属胴縁に外壁板を留め付けてなる外壁施工構造において，
上記外壁板が左右に隣接する部分には隣接部留め付けユニットが配置され，それ以外の部分には一般部留め付けユニットが配置され，
上記隣接部留め付けユニットは，上記左右の外壁板の上辺部又は下辺部にそれぞれ係合する左右の留め付け金具と，該左右の留め付け金具を連結すると共に上記金属胴縁に固定する固定下板と，該固定下板と上記留め付け金具との間に配設され，上記留め付け金具の前後方向の位置を調整するための不陸調整板とを有し，
上記固定下板は，上記金属胴縁に当接する中央当接板部と，該中央当接板部の左右において上記留め付け金具を固定する金具搭載部とを有し，該金具搭載部の前面は，上記中央当接板部の後面と略同一平面上に形成されており，
上記一般部留め付けユニットは，上記外壁板の上辺部又は下辺部に係合する留め付け金具と，該留め付け金具の背面に配設され，上記留め付け金具の前後方向の位置を調整するための不陸調整板とを有していることを特徴とする外壁施工構造。
【請求項５】
請求項４において，上記固定下板の上記中央当接板部は，上記金属胴縁の前面幅よりも幅広に形成してあることを特徴とする外壁施工構造。
【請求項６】
請求項５において，上記隣接部留め付けユニットにおける上記中央当接板部，及び上記一般部留め付けユニットにおける上記不陸調整板は，背面に突出した背面リブを円環状又は円弧状に形成してなり，該背面リブの外周面は，上記金属胴縁の前面に上下方向に連続形成された前面開口部の開口端に当接するよう構成されていることを特徴とする外壁施工構造。
【発明の詳細な説明】
【０００１】
【発明の属する技術分野】
本発明は，建築物の構造躯体に略鉛直方向に固定した金属胴縁に外壁板を留め付けるための留め付けユニットのうち，上記外壁板が上記金属胴縁の前方において左右に隣接する部分に配置する隣接部留め付けユニット，及びこれを用いた外壁施工構造に関する。
【０００２】
【従来の技術】
出願人は本願に先立ち，施工容易かつ強度の高い外壁施工構造を得るべく，建築物の構造躯体に固定した金属下地に外壁板を留め付けてなる外壁施工構造を提案した（特願２００２−０１８５９６）。
該外壁施工構造における上記金属下地は，上記構造躯体に，それぞれ略水平方向に固定された複数の金属ランナーと，該複数の金属ランナーに略鉛直方向に固定された複数の金属胴縁とを有する。
例えば，図１７に示す外壁施工構造９０では，外壁板４は，金属胴縁３２に配設された留め付けユニット９に，上辺部４１及び下辺部４２を係止させることにより，上記金属胴縁３２に留め付けられている。
【０００３】
また，図１６に示すごとく，上記留め付けユニット９は，上記外壁板４を係止する留め付け金具５と，該留め付け金具５の背面に配置された不陸調整板９７とを有する。該不陸調整板９７は，上記留め付け金具５に対して上下にスライドすることにより，上記金属胴縁３２と上記留め付け金具５との互いの位置関係を前後方向に変化させることができる。これにより，金属下地の不陸調整を容易に行うことができる。
【０００４】
【発明が解決しようとする課題】
しかしながら，図１７に示した上記留め付けユニット９を用いた外壁施工構造９０においては，以下に示すごとく改良の余地がある。
上記留め付けユニット９としては，上記外壁板４が上記金属胴縁３２の前方において左右に隣接する部分に配置する隣接部留め付けユニット９１（図１５参照）と，その他の部分に配置する一般部留め付けユニット９２（図１６参照）とがある。
【０００５】
図１５に示すごとく，上記隣接部留め付けユニット９１は，左右の外壁板４にそれぞれ係止させる左右の留め付け金具５を有すると共に，該左右の留め付け金具５をその後方において連結する長尺の固定下板９６を有する。
即ち，上記隣接部留め付けユニット９１は，上記固定下板９６と上記不陸調整板９７と上記留め付け金具５とを前後に重ねてなる。従って，図１７に示すごとく，該留め付け金具５は，上記金属胴縁３２に対して，上記固定下板９６と上記不陸調整板９７とを介在させて固定されることとなる。
【０００６】
上記一般部留め付けユニット９２においても，上記留め付け金具５の位置が上記隣接部留め付けユニット９１における留め付け金具５と同等の前後位置に配置される必要がある。留め付ける外壁板４の表面位置を一定にするためである。そのため，図１６に示すごとく，上記一般部留め付けユニット９２も，上記不陸調整板９７の背面に，上記隣接部留め付けユニット９１の固定下板９６と同等の厚みを有する固定下板９６０を配設してなる。
ところが，単に一般部留め付けユニット９２における留め付け金具５と，上記隣接部留め付けユニット９１における留め付け金具５との前後位置を合わせるためだけに上記固定下板９６０を配設することは，部品点数の増加を招き，製造コスト，施工性の観点から，決して好ましいことではない。
【０００７】
本発明は，かかる従来の問題点に鑑みてなされたもので，外壁施工構造を安価かつ容易に施工することができる，隣接部留め付けユニット及びこれを用いた外壁施工構造を提供しようとするものである。
【０００８】
【課題を解決するための手段】
第１の発明は，建築物の構造躯体に略鉛直方向に固定した金属胴縁に外壁板を留め付けるための留め付けユニットのうち，上記外壁板が上記金属胴縁の前方において左右に隣接する部分に配置する隣接部留め付けユニットであって，
該隣接部留め付けユニットは，上記左右の外壁板の上辺部又は下辺部にそれぞれ係合する左右の留め付け金具と，該左右の留め付け金具を連結すると共に上記金属胴縁に固定する固定下板と，該固定下板と上記留め付け金具との間に配設され，上記留め付け金具の前後方向の位置を調整するための不陸調整板とを有し，
上記固定下板は，上記金属胴縁に当接する中央当接板部と，該中央当接板部の左右において上記留め付け金具を固定する金具搭載部とを有し，
該金具搭載部の前面は，上記中央当接板部の後面と略同一平面上に形成されていることを特徴とする隣接部留め付けユニットにある（請求項１）。
【０００９】
次に，本発明の作用効果につき説明する。
上記隣接部留め付けユニットにおける上記固定下板は，上記金具搭載部の前面を上記中央当接板部の後面と略同一平面上に形成してなる。そして，上記固定下板は，上記中央当接板部の後面を上記金属胴縁の前面に当接して配設される。そのため，上記隣接部留め付けユニットを金属胴縁に配設した際，上記金具搭載部の前面は，上記金属胴縁の前面と略同一平面上に配置される。
【００１０】
これにより，上記不陸調整板の背面を，上記金属胴縁の前面と略同一平面上に配置することができる。それ故，上記隣接部留め付けユニット以外の留め付けユニットである一般部留め付けユニットに，上記固定下板に対応する部品を用いなくても，留め付け金具の前後位置を揃えることができる。そのため，一般部留め付けユニットの部品点数を少なくすることができ，その結果，外壁施工構造全体としても部品点数を少なくすることができる。
それ故，外壁施工構造を安価かつ容易に施工することができる。
【００１１】
以上のごとく，本発明によれば，外壁施工構造を安価かつ容易に施工することができる，隣接部留め付けユニットを提供することができる。
【００１２】
第２の発明は，建築物の構造躯体に略鉛直方向に固定した金属胴縁に外壁板を留め付けてなる外壁施工構造において，
上記外壁板が左右に隣接する部分には隣接部留め付けユニットが配置され，それ以外の部分には一般部留め付けユニットが配置され，
上記隣接部留め付けユニットは，上記左右の外壁板の上辺部又は下辺部にそれぞれ係合する左右の留め付け金具と，該左右の留め付け金具を連結すると共に上記金属胴縁に固定する固定下板と，該固定下板と上記留め付け金具との間に配設され，上記留め付け金具の前後方向の位置を調整するための不陸調整板とを有し，
上記固定下板は，上記金属胴縁に当接する中央当接板部と，該中央当接板部の左右において上記留め付け金具を固定する金具搭載部とを有し，該金具搭載部の前面は，上記中央当接板部の後面と略同一平面上に形成されており，
上記一般部留め付けユニットは，上記外壁板の上辺部又は下辺部に係合する留め付け金具と，該留め付け金具の背面に配設され，上記留め付け金具の前後方向の位置を調整するための不陸調整板とを有していることを特徴とする外壁施工構造にある（請求項４）。
【００１３】
上記隣接部留め付けユニットにおける上記固定下板は，上記金具搭載部の前面を上記中央当接板部の後面と略同一平面上に形成し，該中央当接板部の後面は上記金属胴縁の前面に当接している。そのため，上記金具搭載部の前面は，上記金属胴縁の前面と略同一平面上に配置される。
【００１４】
これにより，上記不陸調整板の背面は，上記金属胴縁の前面と略同一平面上に配置される。それ故，上記一般部留め付けユニットに，上記固定下板に対応する部品を用いなくても，留め付け金具の前後位置を揃えることができる。そのため，一般部留め付けユニットの部品点数を少なくすることができ，その結果，外壁施工構造全体としても部品点数を少なくすることができる。
それ故，外壁施工構造を安価かつ容易に施工することができる。
【００１５】
以上のごとく，本発明によれば，安価かつ施工容易な外壁施工構造を提供することができる。
【００１６】
【発明の実施の形態】
上記第１の発明（請求項１）において，「略同一平面上」とは，折り曲げ加工精度を考慮した表現であり，上記金具搭載部の前面と上記中央当接板部の後面との前後方向のずれが，例えば０．５ｍｍ未満であることを意味する。
また，上記固定下板の厚みは，例えば，１．０〜３．２ｍｍとすることができる。
また，上記外壁施工構造は，新築用の外壁施工構造であっても，リフォーム用の外壁施工構造であってもよい。
なお，本明細書においては，建築物の外側方向を「前」，内側方向を「後」として表現する。
【００１７】
また，上記留め付け金具は，例えば，外壁板の裏側面に当接する基板部と，該基板部から前方に立設された支承部と，該支承部から斜め上方へ屈曲した上板係止部と，上記支承部から斜め下方へ屈曲した下板係止部とを有する。また，上記上板係止部及び下板係止部の前方には，前方平板部が形成されていることが好ましい。また，上記基板部は，その上部において後方に後退した上方脚部を有すると共に，下端部において略９０°後方に屈曲した下方脚部を有することが好ましい。
【００１８】
また，上記第１の発明（請求項１）又は第２の発明（請求項４）において，上記固定下板の上記中央当接板部は，上記金属胴縁の前面幅よりも幅広に形成してあることが好ましい（請求項２，請求項５）。
この場合には，上記中央当接板部の後面に形成される凹状部の幅が，この部分に配置される上記金属胴縁の前面幅よりも幅広に形成されることとなる。それ故，金属胴縁が多少左右に傾斜して配設されている場合にも，該金属胴縁に固定された上記固定下板に対して留め付け金具の取り付け姿勢を調節して固定できるので，上記金属胴縁の傾斜を吸収することができる。これにより，金属胴縁が多少左右に傾斜して配設されている場合にも，外壁板を水平に正確に留め付けることができる。
【００１９】
また，上記中央当接板部の幅は，上記金属胴縁の前面幅よりも５〜１５ｍｍ大きいことが好ましい。上記幅の差が５ｍｍ未満の場合には，上記金属胴縁の傾斜を充分に吸収できないおそれがある。一方，上記幅の差が１５ｍｍを超える場合には，中央当接板部の幅が大きくなる結果，固定下板の幅が大きくなり，施工性，材料コストの点で不利となるおそれがある。
【００２０】
また，上記中央当接板部は，背面に突出した背面リブを円環状又は円弧状に形成してなり，該背面リブの外周面は，上記金属胴縁の前面に上下方向に連続形成された前面開口部の開口端に当接するよう構成されていることが好ましい（請求項３）。
この場合には，上記隣接部留め付けユニットを，上記金属胴縁に対して正確な位置に固定することができる。また，上記背面リブが円環状又は円弧状に形成してあるため，上記隣接部留め付けユニットを上記金属胴縁に対して回動自在な状態で固定作業を行うことができる。それ故，金属胴縁が多少傾斜して配設されている場合における，隣接部留め付けユニットにおける留め付け金具を正しい姿勢で固定することができる。従って，一層容易かつ確実に外壁施工構造を施工することができる。
【００２１】
また，上記隣接部留め付けユニットにおける上記中央当接板部，及び上記一般部留め付けユニットにおける上記不陸調整板は，背面に突出した背面リブを円環状又は円弧状に形成してなり，該背面リブの外周面は，上記金属胴縁の前面に上下方向に連続形成された前面開口部の開口端に当接するよう構成されていることが好ましい（請求項６）。
これにより，上記隣接部留め付けユニット及び上記一般部留め付けユニットを，一層容易かつ確実に，金属胴縁に固定することができる。
【００２２】
【実施例】
本発明の実施例にかかる隣接部留め付けユニット及びこれを用いた外壁施工構造につき，図１〜図１４を用いて説明する。
本例の隣接部留め付けユニット１は，図２，図３に示すごとく，建築物の構造躯体２に略鉛直方向に固定した金属胴縁３２に外壁板４を留め付けるための留め付けユニットのうち，上記外壁板４が上記金属胴縁３２の前方において左右に隣接する部分に配置する部材である。
【００２３】
該隣接部留め付けユニット１は，図１，図４，図７に示すごとく，上記左右の外壁板４の上辺部４１又は下辺部４２にそれぞれ係合する左右の留め付け金具５と，該左右の留め付け金具５を連結すると共に上記金属胴縁３２に固定する固定下板６とを有する。そして，図４，図５に示すごとく，該固定下板６と上記留め付け金具５との間には，上記留め付け金具５の前後方向の位置を調整するための不陸調整板７が配設してある。
【００２４】
図１，図５に示すごとく，上記固定下板６は，上記金属胴縁３２に当接する中央当接板部６１と，該中央当接板部６１の左右において上記留め付け金具５を固定する金具搭載部６２とを有する。
そして，図５に示すごとく，該金具搭載部６２の前面６２１は，上記中央当接板部６１の後面６１２と略同一平面上に形成されている。
【００２５】
図１，図５に示すごとく，上記固定下板６の中央当接板部６１の幅Ｃは，上記金属胴縁３２の前面幅Ｄよりも，約１０ｍｍ大きく形成してある。
また，図５，図８に示すごとく，上記固定下板６は，背面に突出した背面リブ６３を円環状に形成してなる。該背面リブ６３の外周面は，上記金属胴縁３２の前面に上下方向に連続形成された前面開口部３２１の開口端３２２に当接するよう構成されている。
【００２６】
また，上記固定下板６の中央当接板部６１の略中央にはビス５７を挿通するための挿通穴６１３が形成されている。そして，該挿通穴６１３と同心円状に上記背面リブ６３が形成されている。また，中央当接板部６１の前面における上記背面リブ６３に対応する部分には，図１，図５に示すごとく，環状溝部６３０が形成されている。
また，上記固定下板６の厚みは，約２ｍｍである。
また，上記外壁施工構造８は新築用の外壁施工構造であるが，本発明は，リフォーム用の外壁施工構造にも適用することができる。
【００２７】
また，図１，図４に示すごとく，上記留め付け金具５は，外壁板４の裏側面４６に当接する基板部５１と，該基板部５１から前方に立設された支承部５２と，該支承部５２から斜め上方へ屈曲した上板係止部５３と，上記支承部５２から斜め下方へ屈曲した下板係止部５４とを有する。また，上記上板係止部５３及び下板係止部５４の前方には，前方平板部５３４が形成されていてる。また，上記基板部５１は，その上部において後方に後退した上方脚部５１１を有すると共に，下端部において略９０°後方に屈曲した下方脚部５１２を有する。また，上記基板部５１は，上記支承部５２の上方において，後方に後退した中央後退部５１３を有し，該中央後退部５１３に，固定ネジ５７２を挿通させるための中央穴５１４が形成されている。
【００２８】
また，上記不陸調整板７は，上記留め付け金具５に対して上下にスライドすることにより，上記固定下板６と上記留め付け金具５との互いの位置関係を前後方向に変化させることができるよう構成されている。
即ち，図４，図６に示すごとく，上記不陸調整板７は，上記留め付け金具５における上方脚部５１１，下方脚部５１２，中央後退部５１３をそれぞれ当接させると共に略同程度の角度で前方へ傾斜した，上方傾斜部７１，下方傾斜部７２，中央傾斜部７３を有している。また，該中央傾斜部７３には，上下方向に長い長穴７４が形成されており，上記固定ネジ５７２を挿通することができる。
【００２９】
上記の構成によって，上記不陸調整板７が上記留め付け金具５に対して上方へスライドした状態で固定ネジ５７２を締めると，上記留め付け金具５と上記固定下板６との前後方向の距離が小さくなる。また，上記不陸調整板７が上記留め付け金具５に対して下方へスライドした状態で固定ネジ５７２を締めると，上記留め付け金具５と上記固定下板６との前後方向の距離が大きくなる。
【００３０】
即ち，上記不陸調整板７を上下にスライドさせることにより，上記留め付け金具５の金属胴縁３２に対する前後方向の位置を変化させることができるので，留め付け金具５により留め付ける外壁板４の表面位置が一定となるように調整することができる。
【００３１】
次に，上記隣接部留め付けユニット１を用いた，本例の外壁施工構造８につき説明する。
図２，図７，図１３に示すごとく，該外壁施工構造８においては，上記外壁板４が左右に隣接する部分に隣接部留め付けユニット１が配置され，それ以外の部分には一般部留め付けユニット８１が配置されている。
【００３２】
該一般部留め付けユニット８１は，図９〜図１１に示すごとく，上記隣接部留め付けユニット１における留め付け金具５と同様の留め付け金具５と，その背面に配設され，上記留め付け金具５の前後方向の位置を調整するための不陸調整板７０とを有している。
上記一般部留め付けユニット８１における上記不陸調整板７０は，背面に突出した背面リブ７３０を円弧状に形成してなる。該背面リブ７３０の外周面は，上記金属胴縁３２の前面開口部３２１の開口端３２２に当接する。
【００３３】
また，図２，図３に示すごとく，上記金属胴縁３２は，上記構造躯体２に，それぞれ略水平方向に固定された複数の金属ランナー３１に固定されることにより，上記構造躯体２に固定されている。即ち，上記複数の金属ランナー３１と複数の金属胴縁３２とにより，金属下地３が構成されている。
【００３４】
また，図２に示すごとく，上記構造躯体２における土台柱２１と胴差し２２とにそれぞれ固定された２本の金属ランナー３１の間には，該金属ランナー３１と同形状の補強用ランナー３１０が水平方向に配設されている。該補強用ランナー３１０は，上記土台柱２１と胴差し２２との間における複数の管柱２３及び間柱２４にわたって固定されている。そして，上記補強用ランナー３１０には，上記金属ランナー３１と同様に，上記金属胴縁３２が固定されている。
【００３５】
また，図５，図１０，図１１に示すごとく，上記隣接部留め付けユニット１及び一般部留め付けユニット８１は，その背面に，上記金属胴縁３２における一対の前板３２３に係合する係合板１９を有している。図５に示すごとく，隣接部留め付けユニット１における係合板１９は，上記固定板部６の挿通穴６１３に挿通したビス５７と螺合している。図１０，図１１に示すごとく，一般部留め付けユニット８１における係合板１９は，上記留め付け金具５の挿通穴５１４及び不陸調整板７０の長穴７４に挿通した固定ネジ５７３と螺合している。
【００３６】
上記係合板１９は，上記金属胴縁３２の一対の前板３２３の背面に係合することにより，上記隣接部留め付けユニット１あるいは一般部留め付けユニット８１を上記金属胴縁３２に固定している。また，図１４に示すごとく，上記スタータ金具８２も同様に，係合板８２９を有している。そして，該係合板８２９を上記金属胴縁３２の前板３２３に係合することにより，上記スタータ金具８２を金属胴縁３２に固定している。
【００３７】
また，上記金属胴縁３２は，約１．２ｍｍの厚みに押出成形することにより，断面略Ｃ字形状の長尺体として形成されている（図５，図１１）。
なお，上記金属ランナー３１も，上記金属胴縁３２と同様の形状を有している。
また，図７に破線で示すごとく，上記外壁施工構造８において，左右の外壁板４の接合部に配設されるハットジョイナー１４は，上記左右の留め付け金具５の間における上記固定下板６の前面，即ち上記中央当接板部６１の前面に配置されている。
【００３８】
また，図２，図３に示すごとく，上記外壁施工構造８における最下段に配置する外壁板４は，スタータ金具８２によって係止，支承されている。
該スタータ金具８２は，図１４に示すごとく，上記土台柱２１に固定される固定板部８２１と，該固定板部８２１の下端部から前方へ屈曲形成された支承部８２２と，該支承部８２２の前端から斜め上方へ屈曲形成された係止部８２３とからなる，水平方向に長尺な金具である。
また，上記固定板部８２１には，強度を確保するために前方へ屈曲形成された上端突出部８２４及び中央突出部８２５が左右方向に設けてある。
【００３９】
次に，本例の作用効果につき説明する。
上記隣接部留め付けユニット１における上記固定下板６は，図５に示すごとく，上記金具搭載部６２の前面６２１を上記中央当接板部６１の後面６１２と略同一平面上に形成してなる。そして，上記固定下板６は，上記中央当接板部６１の後面６１２を上記金属胴縁３２の前面３２９に当接して配設される。そのため，上記隣接部留め付けユニット１を金属胴縁３２に配設した際，上記金具搭載部６２の前面６２１は，上記金属胴縁３２の前面３２９と略同一平面上に配置される。
【００４０】
これにより，上記不陸調整板７の背面７９を，上記金属胴縁３２の前面３２９と略同一平面上に配置することができる。それ故，上記隣接部留め付けユニット１以外の留め付けユニットである一般部留め付けユニット８１に，上記固定下板６に対応する部品を用いなくても，留め付け金具５の前後位置を揃えることができる（図４，図１０）。そのため，部品点数を少なくすることができる。
その結果，外壁施工構造を安価かつ容易に施工することができる。
【００４１】
また，図５に示すごとく，上記固定下板６の上記中央当接板部６１の幅Ｃは，上記金属胴縁３２の前面幅Ｄよりも幅広に形成してある。
これにより，上記中央当接板部６１の後面６１２に形成される凹状部の幅が，この部分に配置される上記金属胴縁３２の前面幅よりも幅広に形成されることとなる。それ故，金属胴縁３２が多少左右に傾斜して配設されている場合にも，該金属胴縁３２に固定された上記固定下板６に対して留め付け金具５の取り付け姿勢を調節して固定することができるため，上記金属胴縁３２の傾斜を吸収することができる。これにより，金属胴縁３２が多少左右に傾斜して配設されている場合にも，外壁板４を水平に正確に留め付けることができる。
【００４２】
また，図５，図８に示すごとく，上記固定下板６は，背面に突出した背面リブ６３を円環状に形成してなり，該背面リブ６３の外周面は，上記金属胴縁３２の前面開口部３２１の開口端３２２に当接する。
これにより，上記隣接部留め付けユニット１を，上記金属胴縁３２に対して正確な位置に固定することができる。また，上記背面リブ６３が円環状に形成してあるため，上記隣接部留め付けユニット１を上記金属胴縁３２に対して回動自在な状態で固定作業を行うことができる。それ故，金属胴縁３２が多少傾斜して配設されている場合における，隣接部留め付けユニット１の傾き調整を妨げることがない。従って，一層容易かつ確実に外壁施工構造８を施工することができる。
【００４３】
また，上記一般部留め付けユニット８１における上記不陸調整板７０にも背面リブ７３０が円弧状に形成されている（図１２）。これにより，上記一般部留め付けユニット８１を，一層容易かつ確実に，金属胴縁３２に固定することができる。
【００４４】
以上のごとく，本例によれば，外壁施工構造を安価かつ容易に施工することができる，隣接部留め付けユニット，及びこれを用いた外壁施工構造を提供することができる。
【００４５】
【発明の効果】
上述のごとく，本発明によれば，外壁施工構造を安価かつ容易に施工することができる，隣接部留め付けユニット，及びこれを用いた外壁施工構造を提供することができる。
【図面の簡単な説明】
【図１】実施例における，隣接部留め付けユニットの正面図。
【図２】実施例における，外壁施工構造の正面説明図。
【図３】図２のＡ−Ａ線矢視断面図。
【図４】実施例における，外壁板を留め付けた隣接部留め付けユニットの縦断面図。
【図５】実施例における，金属胴縁に固定した隣接部留め付けユニットの水平断面図。
【図６】実施例における，隣接部留め付けユニットの不陸調整板の正面図。
【図７】実施例における，隣接部留め付けユニットにより外壁板を留め付けた状態を表す正面図。
【図８】実施例における，背面リブの説明図。
【図９】実施例における，一般部留め付けユニットの正面図及び縦断面図。
【図１０】実施例における，外壁板を留め付けた隣接部留め付けユニットの縦断面図。
【図１１】実施例における，金属胴縁に固定した一般部留め付けユニットの水平断面図。
【図１２】実施例における，一般部留め付けユニットの不陸調整板の正面図。
【図１３】実施例における，一般部留め付けユニットにより外壁板を留め付けた状態を表す正面図。
【図１４】実施例における，スタータ金具周辺の外壁施工構造の縦断面図。
【図１５】改良前における，隣接部留め付けユニットの正面図。
【図１６】改良前における，一般部留め付けユニットの正面図。
【図１７】改良前における，一般部留め付けユニットにより外壁板を留め付けた状態を表す正面図。
【符号の説明】
１．．．隣接部留め付けユニット，
２．．．構造躯体，
３２．．．金属胴縁，
４．．．外壁板，
５．．．留め付け金具，
６．．．固定下板，
６１．．．中央当接板部，
６１２．．．後面，
６２．．．金具搭載部，
６２１．．．前面，
７，７０．．．不陸調整板，
８．．．外壁施工構造，
８１．．．一般部留め付けユニット
【図１】
0003633579.tif 000002
【図２】
0003633579.tif 000003
【図３】
0003633579.tif 000004
【図４】
0003633579.tif 000005
【図５】
0003633579.tif 000006
【図６】
0003633579.tif 000007
【図７】
0003633579.tif 000008
【図８】
0003633579.tif 000009
【図９】
0003633579.tif 000010
【図１０】
0003633579.tif 000011
【図１１】
0003633579.tif 000012
【図１２】
0003633579.tif 000013
【図１３】
0003633579.tif 000014
【図１４】
0003633579.tif 000015
【図１５】
0003633579.tif 000016
【図１６】
0003633579.tif 000017
【図１７】
0003633579.tif 000018